(57)【特許請求の範囲】
【請求項１】
第１のフレーム中で、サービングセルの時分割複信（ＴＤＤ）構成の複数のサブフレームをアンカーサブフレームのセットおよび非アンカーサブフレームのセットにグループ化することと、ここにおいて、
前記サービングセルの１つまたは複数の第１のダウンリンクサブフレーム、または１つまたは複数のスペシャルサブフレームは、前記サービングセルおよび隣接セルの対応するサブフレームが両方ともダウンリンクサブフレームであるか、両方ともスペシャルサブフレームであるとき、アンカーサブフレームの前記セットにグループ化され、
前記サービングセルの１つまたは複数の第２のダウンリンクサブフレームは、前記サービングセルおよび前記隣接セルの対応するサブフレームが前記サービングセルにおけるダウンリンクサブフレームおよび前記隣接セルにおけるアップリンクサブフレームを含むとき、非アンカーサブフレームの前記セットにグループ化され、
アンカーサブフレームの前記セットの肯定確認応答（ＡＣＫ）および／または否定確認応答（ＮＡＣＫ）を前記サービングセルの第２のフレーム中の第１のアップリンクサブフレームに、および非アンカーサブフレームの前記セットのＡＣＫおよび／またはＮＡＣＫを前記サービングセルの前記第２のフレーム中の第２のアップリンクサブフレームに、別個にバンドルすることと、
アンカーサブフレームの前記セットの前記バンドルされたＡＣＫおよび／またはＮＡＣＫを非アンカーサブフレームの前記セットの前記ＡＣＫおよび／またはＮＡＣＫと多重化することと、
を備える、ワイヤレス通信の方法。
【請求項２】
サブフレームをグループ化することは、
前記サービングセルおよび前記隣接セルの対応するサブフレームがダウンリンクサブフレームであるとき、前記サービングセルの前記１つ又は複数の第１のダウンリンクサブフレームをアンカーサブフレームと指定すること、
を備える、請求項１に記載の方法。
【請求項３】
サブフレームをグループ化することは、
前記サービングセルおよび前記隣接セルの対応するサブフレームがスペシャルサブフレームであるとき、前記サービングセルの前記１つ又は複数のスペシャルサブフレームをアンカーサブフレームと指定すること、
を備える、請求項１に記載の方法。
【請求項４】
サブフレームをグループ化することは、
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの前記１つ又は複数の第２のダウンリンクサブフレームを非アンカーサブフレームと指定すること、
を備える、請求項１に記載の方法。
【請求項５】
サブフレームをグループ化することは、
ダウンリンク方向に固定された前記サービングセルの１つ又は複数のダウンリンクサブフレームを、アンカーサブフレームと指定すること、
を備える、請求項１に記載の方法。
【請求項６】
サブフレームをグループ化することは、
ダウンリンク方向に固定されていない前記サービングセルの１つ又は複数のダウンリンクサブフレームを、非アンカーサブフレームと指定すること、
を備える、請求項１に記載の方法。
【請求項７】
バンドルすることは、
アンカーサブフレームの前記セットについての前記ＡＣＫおよび／またはＮＡＣＫを、前記サービングセルの前記第２のフレーム中の前記第１のアップリンクサブフレームにバンドルすることと、
非アンカーサブフレームの前記セットについての前記ＡＣＫおよび／またはＮＡＣＫを、前記サービングセルの前記第２のフレーム中の前記第２のアップリンクサブフレームにバンドルすることと、
をさらに備える、請求項１に記載の方法。
【請求項８】
前記サービングセルに隣接する前記隣接セルの前記ＴＤＤ構成を取得することをさらに備える、請求項１に記載の方法。
【請求項９】
第１のフレーム中で、サービングセルの時分割複信（ＴＤＤ）構成の複数のサブフレームをアンカーサブフレームのセットおよび非アンカーサブフレームのセットにグループ化するための手段と、ここにおいて、
前記サービングセルの１つまたは複数の第１のダウンリンクサブフレーム、または１つまたは複数のスペシャルサブフレームは、前記サービングセルおよび隣接セルの対応するサブフレームが両方ともダウンリンクサブフレームであるか、両方ともスペシャルサブフレームであるとき、アンカーサブフレームの前記セットにグループ化され、
前記サービングセルの1つまたは複数の第２のダウンリンクサブフレームは、前記サービングセルおよび前記隣接セルの対応するサブフレームが前記サービングセルにおけるダウンリンクサブフレームおよび前記隣接セルにおけるアップリンクサブフレームを含むとき、非アンカーサブフレームの前記セットにグループ化され、
アンカーサブフレームの前記セットの肯定確認応答（ＡＣＫ）および／または否定確認応答（ＮＡＣＫ）を前記サービングセルの第２のフレーム中の第１のアップリンクサブフレームに、および非アンカーサブフレームの前記セットのＡＣＫおよび／またはＮＡＣＫを前記サービングセルの前記第２のフレーム中の第２のアップリンクサブフレームに、別個にバンドルするための手段と、
を備える、ワイヤレス通信のための装置。
【請求項１０】
サブフレームをグループ化するための前記手段は、前記サービングセルおよび前記隣接セルの対応するサブフレームがダウンリンクサブフレームであるとき、前記サービングセルの前記１つ又は複数の第１のダウンリンクサブフレームをアンカーサブフレームと指定するように構成される、請求項９に記載の装置。
【請求項１１】
サブフレームをグループ化するための前記手段は、前記サービングセルおよび前記隣接セルの対応するサブフレームがスペシャルサブフレームであるとき、前記サービングセルの前記１つ又は複数のスペシャルサブフレームをアンカーサブフレームと指定するように構成される、請求項９に記載の装置。
【請求項１２】
サブフレームをグループ化するための前記手段は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの前記１つ又は複数の第２のダウンリンクサブフレームを非アンカーサブフレームと指定するように構成される、請求項９に記載の装置。
【請求項１３】
サブフレームをグループ化するための前記手段は、ダウンリンク方向に固定された前記サービングセルの１つ又は複数のダウンリンクサブフレームを、アンカーサブフレームと指定するように構成される、請求項９に記載の装置。
【請求項１４】
サブフレームをグループ化するための前記手段は、ダウンリンク方向に固定されていない前記サービングセルの１つ又は複数のダウンリンクサブフレームを、非アンカーサブフレームと指定するように構成される、請求項９に記載の装置。
【請求項１５】
バンドルするための前記手段は、
アンカーサブフレームの前記セットについての前記ＡＣＫおよび／またはＮＡＣＫを、前記サービングセルの前記第２のフレーム中の前記第１のアップリンクサブフレームにバンドルすることと、
非アンカーサブフレームの前記セットについての前記ＡＣＫおよび／またはＮＡＣＫを、前記サービングセルの前記第２のフレーム中の前記第２のアップリンクサブフレームにバンドルすることと、
をさらに備える、請求項９に記載の装置。
【請求項１６】
前記サービングセルに隣接する前記隣接セルの前記ＴＤＤ構成を取得するための手段をさらに備える、請求項９に記載の装置。
【請求項１７】
アンカーサブフレームの前記セットの前記バンドルされたＡＣＫおよび／またはＮＡＣＫを、非アンカーサブフレームの前記セットの前記ＡＣＫおよび／またはＮＡＣＫと多重化するための手段をさらに備える、請求項９に記載の装置。
【請求項１８】
ワイヤレス通信のための装置であって、
メモリと、
前記メモリに接続された少なくとも１つのプロセッサと、を備え、前記少なくとも１つのプロセッサは、
第１のフレーム中で、サービングセルの時分割複信（ＴＤＤ）構成の複数のサブフレームをアンカーサブフレームのセットおよび非アンカーサブフレームのセットにグループ化することと、ここにおいて、
前記サービングセルの１つまたは複数の第１のダウンリンクサブフレーム、または１つまたは複数のスペシャルサブフレームは、前記サービングセルおよび隣接セルの対応するサブフレームが両方ともダウンリンクサブフレームであるか、両方ともスペシャルサブフレームであるとき、アンカーサブフレームの前記セットにグループ化され、
前記サービングセルの1つまたは複数の第２のダウンリンクサブフレームは、前記サービングセルおよび前記隣接セルの対応するサブフレームが前記サービングセルにおけるダウンリンクサブフレームおよび前記隣接セルにおけるアップリンクサブフレームを含むとき、非アンカーサブフレームの前記セットにグループ化され、
アンカーサブフレームの前記セットの肯定確認応答（ＡＣＫ）および／または否定確認応答（ＮＡＣＫ）を前記サービングセルの第２のフレーム中の第１のアップリンクサブフレームに、および非アンカーサブフレームの前記セットのＡＣＫおよび／またはＮＡＣＫを前記サービングセルの前記第２のフレーム中の第２のアップリンクサブフレームに、別個にバンドルすることと、
を行うように構成される、装置。
【請求項１９】
前記少なくとも１つのプロセッサは、
前記サービングセルおよび前記隣接セルの対応するサブフレームがダウンリンクサブフレームであるとき、前記サービングセルの前記１つ又は複数の第１のダウンリンクサブフレームをアンカーサブフレームと指定するように構成される、請求項１８に記載の装置。
【請求項２０】
前記少なくとも１つのプロセッサは、
前記サービングセルおよび前記隣接セルの対応するサブフレームがスペシャルサブフレームであるとき、前記サービングセルの前記１つ又は複数のスペシャルサブフレームをアンカーサブフレームと指定するように構成される、請求項１８に記載の装置。
【請求項２１】
前記少なくとも１つのプロセッサは、
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの前記１つ又は複数の第２のダウンリンクサブフレームを非アンカーサブフレームと指定するように構成される、請求項１８に記載の装置。
【請求項２２】
前記少なくとも１つのプロセッサは、
ダウンリンク方向に固定された前記サービングセルの１つ又は複数のダウンリンクサブフレームを、アンカーサブフレームと指定するように構成される、請求項１８に記載の装置。
【請求項２３】
前記少なくとも１つのプロセッサは、
ダウンリンク方向に固定されていない前記サービングセルの１つ又は複数のダウンリンクサブフレームを、非アンカーサブフレームと指定するように構成される、請求項１８に記載の装置。
【請求項２４】
前記少なくとも１つのプロセッサは、さらに、
アンカーサブフレームの前記セットについての前記ＡＣＫおよび／またはＮＡＣＫを、前記サービングセルの前記第２のフレーム中の前記第１のアップリンクサブフレームにバンドルすることと、
非アンカーサブフレームの前記セットについての前記ＡＣＫおよび／またはＮＡＣＫを、前記サービングセルの前記第２のフレーム中の前記第２のアップリンクサブフレームにバンドルすることと、
を行うように構成される、請求項１８に記載の装置。
【請求項２５】
前記少なくとも１つのプロセッサは、さらに、
前記サービングセルに隣接する前記隣接セルの前記ＴＤＤ構成を取得するように構成される、請求項１８記載の装置。
【請求項２６】
前記少なくとも１つのプロセッサは、さらに、
アンカーサブフレームの前記セットの前記バンドルされたＡＣＫおよび／またはＮＡＣＫを、非アンカーサブフレームの前記セットの前記ＡＣＫおよび／またはＮＡＣＫと多重化するように構成される、請求項１８に記載の装置。
【請求項２７】
第１のフレーム中で、サービングセルの時分割複信（ＴＤＤ）構成の複数のサブフレームをアンカーサブフレームのセットおよび非アンカーサブフレームのセットにグループ化することと、ここにおいて、
前記サービングセルの１つまたは複数の第１のダウンリンクサブフレーム、または１つまたは複数のスペシャルサブフレームは、前記サービングセルおよび隣接セルの対応するサブフレームが両方ともダウンリンクサブフレームであるか、両方ともスペシャルサブフレームであるとき、アンカーサブフレームの前記セットにグループ化され、
前記サービングセルの1つまたは複数の第２のダウンリンクサブフレームは、前記サービングセルおよび前記隣接セルの対応するサブフレームが前記サービングセルにおけるダウンリンクサブフレームおよび前記隣接セルにおけるアップリンクサブフレームを含むとき、非アンカーサブフレームの前記セットにグループ化され、
アンカーサブフレームの前記セットの肯定確認応答（ＡＣＫ）および／または否定確認応答（ＮＡＣＫ）を前記サービングセルの第２のフレーム中の第１のアップリンクサブフレームに、および非アンカーサブフレームの前記セットのＡＣＫおよび／またはＮＡＣＫを前記サービングセルの前記第２のフレーム中の第２のアップリンクサブフレームに、別個にバンドルすることと、
のためのコンピュータ実行可能なコードを備えるコンピュータプログラム。
【請求項２８】
前記サービングセルおよび前記隣接セルの対応するサブフレームがダウンリンクサブフレームであるとき、前記サービングセルの前記１つ又は複数の第１のダウンリンクサブフレームをアンカーサブフレームと指定するためのコンピュータ実行可能なコードをさらに備える、請求項２７に記載のコンピュータプログラム。
【請求項２９】
前記サービングセルおよび前記隣接セルの対応するサブフレームがスペシャルサブフレームであるとき、前記サービングセルの前記１つ又は複数のスペシャルサブフレームをアンカーサブフレームと指定するためのコンピュータ実行可能なコードをさらに備える、請求項２７に記載のコンピュータプログラム。
【請求項３０】
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの前記１つ又は複数の第２のダウンリンクサブフレームを非アンカーサブフレームと指定するためのコンピュータ実行可能なコードをさらに備える、請求項２７に記載のコンピュータプログラム。
【請求項３１】
ダウンリンク方向に固定された前記サービングセルの１つ又は複数のダウンリンクサブフレームを、アンカーサブフレームと指定するためのコンピュータ実行可能なコードをさらに備える、請求項２７に記載のコンピュータプログラム。
【請求項３２】
ダウンリンク方向に固定されていない前記サービングセルの１つ又は複数のダウンリンクサブフレームを、非アンカーサブフレームと指定するためのコンピュータ実行可能なコードをさらに備える、請求項２７に記載のコンピュータプログラム。
【請求項３３】
アンカーサブフレームの前記セットについての前記ＡＣＫおよび／またはＮＡＣＫを、前記サービングセルの前記第２のフレーム中の前記第１のアップリンクサブフレームにバンドルすることと、
非アンカーサブフレームの前記セットについての前記ＡＣＫおよび／またはＮＡＣＫを、前記サービングセルの前記第２のフレーム中の前記第２のアップリンクサブフレームにバンドルすることと、
のためのコンピュータ実行可能なコードをさらに備える、請求項２７に記載のコンピュータプログラム。
【請求項３４】
前記サービングセルに隣接する前記隣接セルの前記ＴＤＤ構成を取得するためのコンピュータ実行可能なコードをさらに備える、請求項２７に記載のコンピュータプログラム。
【請求項３５】
前記アンカーサブフレームの前記バンドルされたＡＣＫおよび／またはＮＡＣＫを前記非アンカーサブフレームの前記ＡＣＫおよび／またはＮＡＣＫと多重化するためのコンピュータ実行可能なコードをさらに備える、請求項２７に記載のコンピュータプログラム。
【発明の詳細な説明】
【関連出願の相互参照】
【０００１】
本願は、２０１２年９月１４日に出願された、「ＬＴＥ ＴＤＤ ｅＩＭＴＡのためのアップリンクＡＣＫ／ＮＡＣＫバンドリングエンハンスメント」（Uplink ACK/NACK Bundling Enhancement for LTE TDD eIMTA）と題する、ＰＣＴ出願番号ＰＣＴ／ＣＮ２０１２／０８１４１０の優先権を主張し、その全内容は、引用によりここに明確に組み込まれる。
【技術分野】
【０００２】
本開示は、一般的に通信システムに関連し、より詳細には、ＬＴＥ時分割複信（ＴＤＤ）エンハンスト干渉マネジメントおよびトラフィックアダプテーション（ｅＩＭＡＴＡ）のためのアップリンク確認応答（ＡＣＫまたはＮＡＣＫ）バンドリングエンハンスメントに関連する。
【背景技術】
【０００３】
[0003]  電話通信、映像、データ、メッセージング、ブロードキャストといった様々な電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスに、市区町村レベル、国レベル、地方レベルだけでなく、世界的なレベルでの通信を可能にさせる、共通のプロトコルを提供するために、様々な電気通信規格に採用されてきた。台頭してきた電気通信規格の例が、ロングタームエボリューション（ＬＴＥ）である。ＬＴＥは、第３世代パートナーシッププロジェクト（３ＧＰＰ）によって発表されたユニバーサルモバイル電気通信システム（ＵＭＴＳ）のモバイル規格を向上させたもののセットである。それは、スペクトル効率を改善することによってモバイルブロードバンドインターネットアクセスをより快適にサポートし、コストを下げ、サービスを改善し、新しいスペクトルを利用し、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープン規格に組み込まれるように設計されている。しかしながら、モバイルブロードバンドアクセスの需要が増加し続けるのに伴い、ＬＴＥ技術にはさらなる改良が必要とされている。望ましくは、これらの改良は、これらの技術を用いる他の多元接続技術および電気通信規格に適用可能であるべきである。
【発明の概要】
【０００５】
[0005]  本開示のある態様において、方法、コンピュータプログラム製品、および装置が提供される。装置は、サービングセルの時分割複信（ＴＤＤ）構成の複数のサブフレームを、アンカーサブフレームのセットおよび非アンカーサブフレームのセットにグループ化する。装置はまた、アンカーサブフレームの肯定確認応答（ＡＣＫ）および／または否定確認応答（ＮＡＣＫ）、および非アンカーサブフレームのＡＣＫおよび／またはＮＡＣＫを別個にバンドルする。
【図面の簡単な説明】
【０００６】
【図１】図１は、ネットワークアーキテクチャの例を示す図である。
【図２】図２は、アクセスネットワークの例を示す図である。
【図３】図３は、ＬＴＥにおけるＤＬフレーム構造の例を示す図である。
【図４】図４は、ＬＴＥにおけるＵＬフレーム構造の例を示す図である。
【図５】図５は、ユーザおよび制御プレーンのための無線プロトコルアーキテクチャの例を示す図である。
【図６】図６は、アクセスネットワークにおける発展型ノードＢおよびユーザ機器の例を示す図である。
【図７】図７は、ＬＴＥにおいて利用可能な様々なＴＤＤ構成を示す図である。
【図８】図８は、サービングセルおよび隣接セル、およびアンカーサブフレームおよび非アンカーサブフレームのセットのためのそれぞれのＴＤＤ構成を示す図である。
【図９】図９は、サービングセルおよび隣接セルのためのＴＤＤ構成の異なる例を示す図である。
【図１０】図１０は、ワイヤレス通信の方法のフローチャートである。
【図１１】図１１は、例示的な装置における異なるモジュール／手段／コンポーネント間のデータフローを示す概念的なデータフロー図である。
【図１２】図１２は、処理システムを用いる装置のためのハードウェアの実現の例を示す図である。
【詳細な説明】
【０００７】
[0018]  添付の図面に関連して以下に述べられる詳細な説明は、様々な構成の説明を意図したものであり、本明細書において説明される概念が実現され得る、唯一の構成を表すことを意図したものではない。詳細な説明は、様々な概念の完全な理解を提供する目的で、具体的な詳細を含む。しかしながら、これらの概念がこれらの具体的な詳細なしに実現され得ることは当業者にとって明らかになるだろう。いくつかの例では、そのような概念をあいまいにすることを避けるために、周知の構造およびコンポーネントが、ブロック図の形態で示される。
【０００８】
[0019]  電気通信システムのいくつかの態様が、様々な装置および方法に関連して提示される。これらの装置および方法は、以下の詳細な説明において説明され、添付の図面では、様々なブロック、モジュール、コンポーネント、回路、ステップ、処理、アルゴリズム、等（まとめて「エレメント」と呼ばれる）によって示される。これらのエレメントは、電子ハードウェア、コンピュータソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【０００９】
[0020]  例として、エレメント、またはエレメントの任意の一部、またはエレメントの任意の組み合わせは、１つ又は複数のプロセッサを含む「処理システム」を用いて実現され得る。プロセッサの例は、本開示を通して説明される様々な機能を実行するように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、ディスクリートハードウェア回路、および他の適切なハードウェアを含む。処理システムにおける１つ又は複数のプロセッサは、ソフトウェアを実行し得る。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【００１０】
[0021]  したがって、１つ又は複数の例示的な実施形態では、説明された機能は、ハードウェア、ソフトウェア、ファームウェア、またはこれらの任意の組み合わせで実現され得る。ソフトウェアで実現される場合、機能は、コンピュータ読取可能な媒体上に、１つ又は複数の命令またはコードとして、記憶またはエンコードされることができる。コンピュータ読取可能な媒体は、コンピュータ記憶媒体を含む。記憶媒体は、コンピュータによってアクセスされ得る任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、かつ、コンピュータによってアクセスされることができる任意の他の媒体を含むことができる。ここで使用される場合、ディスク（disk）およびディスク（disc）は、コンパクトディスク（ＣＤ）、レーザーディスク（登録商標）、光ディスク、デジタル多目的ディスク（ＤＶＤ）、およびフロッピー（登録商標）ディスクを含み、ここでディスク（disks）は、通常磁気的にデータを再生し、一方ディスク（discs）は、レーザーを用いて光学的にデータを再生する。上記の組み合わせは、また、コンピュータ読取可能な媒体の範囲内に含まれるべきである。
【００１１】
[0022]  図１は、ＬＴＥネットワークアーキテクチャ１００を示す図である。ＬＴＥネットワークアーキテクチャ１００は、発展型パケットシステム（ＥＰＳ：Evolved Packet System）１００と称され得る。ＥＰＳ１００は、１つ又は複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホームサブスクライバサーバ（ＨＳＳ）１２０、およびオペレータのＩＰサービス１２２を含み得る。ＥＰＳは、他のアクセスネットワークと相互接続することができるが、簡潔化のために、それらのエンティティ／インターフェースは図示しない。図示されるように、ＥＰＳはパケット交換サービスを提供するが、当業者が容易に理解するように、本開示全体を通して提示される様々な概念は、回路交換サービスを提供するネットワークに拡張され得る。
【００１２】
[0023]  Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーンプロトコルターミネーションを提供する。ｅＮＢ１０６は、バックホール（例えば、Ｘ２インターフェース）を介して、他のｅＮＢ１０８に接続され得る。ｅＮＢ１０６はまた、基地局、基地トランシーバ局、無線基地局、無線トランシーバ、トランシーバ機能、ベーシックサービスセット（ＢＳＳ：basic service set）、拡張サービスセット（ＥＳＳ：extended service set）、または何らかの他の適切な専門用語で称され得る。ｅＮＢ１０６は、ＵＥ１０２のためのＥＰＣ１１０へのアクセスポイントを提供する。ＵＥ１０２の例は、セルラー電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（例えば、ＭＰ３プレイヤ）、カメラ、ゲーム機器、または任意の他の同様の機能を有するデバイスを含む。ＵＥ１０２はまた、当業者によって、モバイル局、サブスクライバ局、モバイルユニット、サブスクライバユニット、ワイヤレスユニット、リモートユニット、モバイルデバイス、ワイヤレスデバイス、ワイヤレス通信デバイス、リモートデバイス、モバイルサブスクライバ局、アクセス端末、モバイル端末、ワイヤレス端末、リモート端末、ハンドセット、ユーザエージェント、モバイルクライアント、クライアント、または何らかの他の適切な専門用語でも称され得る。
【００１３】
[0024]  ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２は、ベアラおよび接続の管理を提供する。すべてのユーザＩＰパケットは、サービングゲートウェイ１１６を介して転送され、サービングゲートウェイ１１６自体は、ＰＤＮゲートウェイ１１８に接続される。ＰＤＮゲートウェイ１１８は、ＵＥのＩＰアドレスの割り当てならびに他の機能を提供する。ＰＤＮゲートウェイ１１８は、オペレータのＩＰサービス１２２に接続される。オペレータのＩＰサービス１２２は、インターネットと、イントラネットと、ＩＰマルチメディアサブシステム（ＩＭＳ）と、ＰＳストリーミングサービス（ＰＳＳ）とを含み得る。
【００１４】
[0025]  図２は、ＬＴＥネットワークアーキテクチャにおけるアクセスネットワーク２００の例を示す図である。この例では、アクセスネットワーク２００が、多数のセルラー領域（セル）２０２に分割されている。より低い電力クラスの１つ又は複数のｅＮＢ２０８は、セル２０２のうちの１つ又は複数と重複するセルラー領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４は、それぞれのセル２０２に各々割り当てられ、セル２０２内のＵＥ２０６すべてのために、ＥＰＣ１１０にアクセスポイントを提供するように構成される。アクセスネットワーク２００のこの例には集中制御装置が存在しないが、代替の構成では、集中制御装置が使用されることができる。ｅＮＢ２０４は、無線ベアラ制御、アドミッション制御、モビリティ制御、スケジューリング、セキュリティ、およびサービングゲートウェイ１１６への接続性を含む、無線関連のすべての機能を担当する。
【００１５】
[0026]  アクセスネットワーク２００によって用いられる変調および多元接続スキームは、展開されている特定の電気通信規格に依存して異なり得る。ＬＴＥの応用例では、ＯＦＤＭがＤＬに使用され、ＳＣ−ＦＤＭＡがＵＬに使用されて、周波数分割複信（ＦＤＤ）および時分割複信（ＴＤＤ）の両方がサポートされる。以下の詳細な説明から当業者が容易に理解するように、本明細書に提示される様々な概念は、ＬＴＥの応用例によく適している。しかしながら、これらの概念は、その他の変調および多元接続技術技法を用いたその他の電気通信規格にまで容易に拡張され得る。例として、これらの概念は、エボリューションデータオプティマイズド（ＥＶ−ＤＯ：Evolution−Data Optimized）またはウルトラモバイルブロードバンド（ＵＭＢ：Ultra Mobile Broadband）に拡張されることができる。ＥＶ−ＤＯおよびＵＭＢは、ＣＤＭＡ２０００ファミリの規格の一部として第３世代パートナーシッププロジェクト２（３ＧＰＰ２）により発表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の様々な変形例を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ＩＥＥＥ ８０２．１１（Ｗｉ−Ｆｉ）、ＩＥＥＥ ８０２．１６（ＷｉＭＡＸ）、ＩＥＥＥ ８０２．２０、およびフラッシュＯＦＤＭに拡張され得る。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際の無線通信規格および多元接続技術は、システムに課された特定の用途および全体的な設計の制約に依存するだろう。
【００１６】
[0027]  ｅＮＢ２０４は、ＭＩＭＯ技術をサポートする複数のアンテナを有し得る。ＭＩＭＯ技術の使用は、ｅＮＢ２０４が空間領域を利用することを可能にし、空間多重、ビームフォーミング、および送信ダイバーシチをサポートする。空間多重化は、同一の周波数上で同時に異なるデータストリームを送信するために使用され得る。それらのデータストリームは、データレートを増すために単一のＵＥ２０６に、または、全システム容量を増加させるために複数のＵＥ２０６に、送信されることができる。これは、各データストリームを空間的にプリコーディングし（すなわち、振幅および位相のスケーリングを適用し）、その後、各空間的にプリコーディングされたストリームをＤＬ上の複数の送信アンテナを通じて送信することによって達成される。空間的にプリコーディングされたデータストリームは、異なる空間シグネチャとともに（単数または複数の）ＵＥ２０６へと到達し、それは、（単数または複数の）ＵＥ２０６の各々が、そのＵＥ２０６に宛てられた１つ又は複数のデータストリームを復元することを可能にする。ＵＬ上では、各ＵＥ２０６は、空間的にプリコーディングされたデータストリームを送信し、それは、ｅＮＢ２０４が、空間的にプリコーティングされた各データストリームのソースを識別することを可能にする。
【００１７】
[0028]  空間多重化は一般的に、チャネル状況が良好な場合に使用される。チャネル状況がさほど良好でない場合には、１つ又は複数の方向に送信エネルギーを集中させるために、ビームフォーミングが使用され得る。これは、複数のアンテナによる送信のためにデータを空間的にプリコーディングすることによって、達成され得る。セルのエッジにおいて優れたカバレッジを達成するために、単一ストリームのビームフォーミング伝送が送信ダイバーシチと組み合わせて使用され得る。
【００１８】
[0029]  以下の詳細な説明では、アクセスネットワークの様々な態様が、ＤＬにおいてＯＦＤＭをサポートするＭＩＭＯシステムに関連して説明される。ＯＦＤＭは、ＯＦＤＭシンボル内の多数のサブキャリアにわたってデータを変調する拡散スペクトル技法である。これらのサブキャリアは、精確な周波数で間隔が空けられている。間隔を空けることは、受信機がサブキャリアからデータを復元することを可能にする「直交性」を提供する。時間領域では、ＯＦＤＭシンボル間干渉を抑制するために、各ＯＦＤＭシンボルにガードインターバル（例えば、サイクリックプリフィクス）が追加され得る。ＵＬは、高いピーク対平均電力比（ＰＡＰＲ：peak to average power ratio）を補償するために、ＤＦＴ拡散ＯＦＤＭ信号の形態でＳＣ−ＦＤＭＡを使用し得る。
【００１９】
[0030]  図３は、ＬＴＥにおけるＤＬフレーム構造の例を示すブロック図３００である。フレーム（１０ ｍｓ）が、１０個の等しいサイズのサブフレームに分割され得る。各サブフレームは、２個の連続するタイムスロットを含み得る。２個のタイムスロットを表すためにリソースグリッドが使用され得、各タイムスロットは、リソースブロックを含む。リソースグリッドは、複数のリソースエレメントに分割される。ＬＴＥでは、１つのリソースブロックは、周波数領域における１２個の連続するサブキャリアを含み、各ＯＦＤＭシンボルにおいてノーマルサイクリックプレフィクスの場合、時間領域における７個の連続するＯＦＤＭシンボル、すなわち、８４個のリソースエレメントを含む。拡張サイクリックプレフィクスの場合、リソースブロックは、時間領域における６個の連続するＯＦＤＭシンボルを含み、７２個のリソースエレメントを有する。リソースエレメントのうちのいくつかは、Ｒ３０２、３０４と示されているように、ＤＬ基準信号（ＤＬ−ＲＳ）を含む。ＤＬ−ＲＳは、セル固有のＲＳ（ＣＲＳ：Cell−specific ＲＳ）（共通ＲＳと呼ばれることもある）３０２と、ＵＥ固有のＲＳ（ＵＥ−ＲＳ：UE−specific RS）３０４とを含む。ＵＥ−ＲＳ３０４は、対応する物理ＤＬ共有チャネル（ＰＤＳＣＨ：physical downlink shared channel）がマッピングされたリソースブロック上のみで送信される。各リソースエレメントによって搬送されるビット数は、変調スキームに依存する。ゆえに、ＵＥが受信するリソースブロックが多いほど、また、変調スキームが高度であるほど、そのＵＥのためのデータレートは高くなる。
【００２０】
[0031]  図４は、ＬＴＥにおけるＵＬフレーム構造の例を示す図４００である。ＵＬのために利用可能なリソースブロックは、データセクションと制御セクションとに区分され得る。制御セクションは、システム帯域幅の両端に形成され得、設定可能なサイズを有し得る。制御セクション内のリソースブロックは、制御情報の送信のためにＵＥに割り当てられ得る。データセクションは、制御セクションに含まれないすべてのリソースブロックを含み得る。ＵＬフレーム構造は、連続するサブキャリアを含むデータセクションを結果としてもたらし、それは、単一のＵＥにデータセクション内の連続するサブキャリアのすべてが割り当てられることを可能にし得る。
【００２１】
[0032]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。このＵＥは、制御セクションにおける割り当てられたリソースブロック上の物理ＵＬ制御チャネル（ＰＵＣＣＨ：physical uplink control channel）において、制御情報を送信し得る。このＵＥは、データセクションにおける割り当てられたリソースブロック上の物理ＵＬ共有チャネル（ＰＵＳＣＨ：physical uplink shared channel）において、データのみ、またはデータと制御情報の両方を送信し得る。ＵＬ送信は、１サブフレーム中の両スロットにわたることができ、周波数にわたってホッピングすることができる。
【００２２】
[0033]  リソースブロックのセットは、物理ランダムアクセスチャネル（ＰＲＡＣＨ：physical random access channel）４３０において、初期システムアクセスを実行し、ＵＬの同期を達成するために使用され得る。ＰＲＡＣＨ４３０は、ランダムシーケンスを搬送するが、任意のＵＬデータ／シグナリングを搬送することはできない。各ランダムアクセスプリアンブルは、６個の連続するリソースブロックに対応する帯域幅を占有する。開始周波数は、ネットワークによって特定される。すなわち、ランダムアクセスプリアンブルの送信は、ある特定の時間および周波数リソースに限られる。ＰＲＡＣＨ用にホッピングする周波数はない。ＰＲＡＣＨの試みは、単一のサブフレーム（１ ｍｓ）において、またはいくつかの連続するサブフレームのシーケンスにおいて搬送され、ＵＥは、１フレーム（１０ ｍｓ）につき１つのみのＰＲＡＣＨの試みを行い得る。
【００２３】
[0034]  図５は、ＬＴＥにおけるユーザおよび制御プレーンのための無線プロトコルアーキテクチャの例を示す図５００である。ＵＥおよびｅＮＢのための無線プロトコルアーキテクチャは、レイヤ１、レイヤ２、およびレイヤ３の３つの層で表示される。レイヤ１（Ｌ１レイヤ）は、最下位のレイヤであり、物理レイヤの様々な信号処理機能を実現する。Ｌ１レイヤは、本明細書において物理レイヤ５０６と称され得る。レイヤ２（Ｌ２レイヤ）５０８は、物理レイヤ５０６よりも上位にあり、物理レイヤ５０６を介したＵＥとｅＮＢとの間のリンクを担当する。
【００２４】
[0035]  ユーザプレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケットデータコンバージェンスプロトコル（ＰＤＣＰ：packet data convergence protocol）５１４サブレイヤを含み、それらは、ネットワーク側のｅＮＢで終端する。示されていないが、ＵＥは、ネットワーク側のＰＤＮゲートウェイ１１８で終端するネットワークレイヤ（例えば、ＩＰレイヤ）や、接続の他端（例えば、遠端のＵＥ、サーバ、等）で終端するアプリケーションレイヤを含む、Ｌ２レイヤ５０８よりも上の、いくつかの上位レイヤを有し得る。
【００２５】
[0036]  ＰＤＣＰサブレイヤ５１４は、異なる無線ベアラと論理チャネルとの間での多重化を提供する。ＰＤＣＰサブレイヤ５１４はまた、無線送信のオーバーヘッドを減じるために上位レイヤのデータパケットのヘッダの圧縮を提供し、それらのデータパケットを暗号化することによってセキュリティを提供し、ｅＮＢ間でのＵＥのハンドオーバーのサポートを提供する。ＲＬＣサブレイヤ５１２は、上位レイヤのデータパケットのセグメンテーションおよびリアセンブリと、損失データパケットの再送と、ハイブリッド自動再送要求（ＨＡＲＱ）による、順序が乱れた受信を補償するためのデータパケットの並び替えと、を提供する。ＭＡＣサブレイヤ５１０は、論理チャネルとトランスポートチャネルとの間の多重化を提供する。ＭＡＣサブレイヤ５１０はまた、１つのセルにおける様々な無線リソース（例えば、リソースブロック）の複数のＵＥ間での割り当てを担当する。ＭＡＣサブレイヤ５１０はまた、ＨＡＲＱオペレーションを担当する。
【００２６】
[0037]  制御プレーンにおいて、ＵＥおよびｅＮＢのための無線プロトコルアーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）における無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担当する。
【００２７】
[0038]  図６は、アクセスネットワークにおいてＵＥ６５０と通信するｅＮＢ６１０のブロック図である。ＤＬにおいて、コアネットワークからの上位レイヤのパケットが、コントローラ／プロセッサ６７５に提供される。コントローラ／プロセッサ６７５は、Ｌ２レイヤの機能を実現する。ＤＬにおいて、コントローラ／プロセッサ６７５は、ヘッダの圧縮、暗号化、パケットのセグメンテーションおよび並び替え、論理チャネルとトランスポートチャネルとの間での多重化、様々な優先順位メトリックに基づいたＵＥ６５０に対する無線リソースの割り付けを提供する。コントローラ／プロセッサ６７５はまた、ＨＡＲＱオペレーション、損失パケットの再送、ＵＥ６５０へのシグナリングを担当する。
【００２８】
[0039]  送信（ＴＸ）プロセッサ６１６は、Ｌ１レイヤ（すなわち、物理レイヤ）のための様々な信号処理機能を実現する。信号処理機能は、ＵＥ６５０における前方誤り訂正（ＦＥＣ：forward error correction）を容易にするように符号化およびインターリーブすることと、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。コード化された、ならびに変調されたシンボルは、その後並行なストリームに分けられる。各ストリームはその後、ＯＦＤＭサブキャリアにマッピングされ、時間領域および／または周波数領域において基準信号（例えば、パイロット）と多重化され、その後、逆高速フーリエ変換（ＩＦＦＴ）を使用してともに合成され、時間領域のＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値が、符号化および変調スキームを決定するため、および空間処理のために、使用され得る。チャネル推定値は、ＵＥ６５０によって送信された基準信号および／またはチャネル状況のフィードバックから導出され得る。そして、各空間ストリームは、別個の送信機６１８ＴＸを介して異なるアンテナ６２０に提供される。各送信機６１８ＴＸは、ＲＦキャリアを、送信のためにそれぞれの空間ストリームを用いて変調する。
【００２９】
[0040]  ＵＥ６５０において、各受信機６５４ＲＸは、そのそれぞれのアンテナ６５２を通じて、信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能を実現する。ＲＸプロセッサ６５６は、ＵＥ６５０に宛てられた任意の空間ストリームを復元するために、その情報に対し空間処理を実行する。複数の空間ストリームがＵＥ６５０に宛てられている場合、それらは、ＲＸプロセッサ６５６により単一のＯＦＤＭシンボルストリームに合成されることができる。ＲＸプロセッサ６５６は、高速フーリエ変換（ＦＦＴ）を使用して、ＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリアにおけるシンボル、および基準信号は、ｅＮＢ６１０によって送信された最も確からしい信号コンステレーションポイントを決定することによって、復元および復調される。これらの軟判定は、チャネル推定器６５８によって計算されたチャネル推定値に基づき得る。これらの軟判定は、物理チャネルにおいてｅＮＢ６１０により元々送信されたデータおよび制御信号を復元するために、復号およびデインターリーブされる。データおよび制御信号がその後、コントローラ／プロセッサ６５９に提供される。
【００３０】
[0041]  コントローラ／プロセッサ６５９は、Ｌ２レイヤを実現する。コントローラ／プロセッサは、プログラムコードおよびデータを記憶するメモリ６６０と関連付けられ得る。メモリ６６０は、コンピュータ読取可能な媒体と称され得る。ＵＬにおいて、コントローラ／プロセッサ６５９は、トランスポートチャネルと論理チャネルとの間でのデマルチプレクシング、パケットのリアセンブリ、暗号解読、ヘッダの圧縮解除、制御信号処理を提供して、コアネットワークからの上位レイヤパケットを復元する。上位レイヤパケットはその後、データシンク６６２に提供されるが、それは、Ｌ２レイヤより上位のすべてのプロトコルレイヤを表す。様々な制御信号もまた、Ｌ３処理のために、データシンク６６２に提供され得る。コントローラ／プロセッサ６５９はまた、ＨＡＲＱオペレーションをサポートするために、確認応答（ＡＣＫ）および／または否定確認応答（ＮＡＣＫ）プロトコルを使用した誤り検出を担当する。
【００３１】
[0042]  ＵＬでは、コントローラ／プロセッサ６５９に上位レイヤパケットを提供するために、データソース６６７が使用される。データソース６６７は、Ｌ２レイヤより上位のすべてのプロトコルレイヤを表す。ｅＮＢ６１０によるＤＬ送信に関連して説明された機能と同様に、コントローラ／プロセッサ６５９は、ヘッダの圧縮、暗号化、パケットのセグメンテーションと並び替え、およびｅＮＢ６１０による無線リソースの割り付けに基づいた論理チャネルとトランスポートチャネルとの間での多重化を提供することにより、ユーザプレーンおよび制御プレーンのためのＬ２レイヤを実現する。コントローラ／プロセッサ６５９はまた、ＨＡＲＱオペレーション、損失パケットの再送、ｅＮＢ６１０へのシグナリングを担当する。
【００３２】
[0043]  ｅＮＢ６１０によって送信された基準信号またはフィードバックからチャネル推定器６５８によって導出されたチャネル推定値は、適切なコード化および変調スキームを選択し、空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、ＲＦキャリアを、送信のためにそれぞれの空間ストリームによって変調する。
【００３３】
[0044]  ＵＬ送信は、ＵＥ６５０における受信機機能に関連して説明されたのと同様の手法により、ｅＮＢ６１０において処理される。各受信機６１８ＲＸは、そのそれぞれのアンテナ６２０を通して、信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実現し得る。
【００３４】
[0045]  コントローラ／プロセッサ６７５は、Ｌ２レイヤを実現する。コントローラ／プロセッサ６７５は、プログラムコードおよびデータを記憶するメモリ６７６に関連付けられ得る。メモリ６７６は、コンピュータ読取可能な媒体と称され得る。ＵＬにおいて、コントローラ／プロセッサ６７５は、トランスポートチャネルと論理チャネルとの間でのデマルチプレクシング、パケットのリアセンブリ、暗号解読、ヘッダの圧縮解除、制御信号処理を提供して、ＵＥ６５０からの上位レイヤパケットを復元する。コントローラ／プロセッサ６７５からの上位レイヤパケットは、コアネットワークに提供されることができる。制御装置／プロセッサ６７５はまた、ＨＡＲＱオペレーションをサポートするために、ＡＣＫおよび／またはＮＡＣＫプロトコルを使用して誤り検出を担当する。
【００３５】
[0046]  図７は、ＬＴＥのための７つの時分割複信（ＴＤＤ）構成を示し、「Ｄ」は、ダウンリンクサブフレームに対応し、「Ｕ」は、アップリンクサブフレームに対応し、「Ｓ」はスペシャルサブフレームに対応する。ＴＤＤ構成のいくつかは、特定の構成２、３、４および５に含まれ、ＤＬサブフレームヘビー（heavy）である。ＤＬサブフレームヘビー構成の場合、複数のＤＬサブフレームについての複数のＡＣＫ／ＮＡＣＫ（Ａ／Ｎ）が、典型的に１つのＵＬサブフレームにおいて送信されなければならない。このようなケースにおいて、アップリンクＡ／Ｎ多重化およびバンドリングが、ＴＤＤ ＬＴＥのために定義される。しかしながら、いくつかの構成について、特にＴＤＤ構成５（ＤＳＵＤＤＤＤＤＤＤ）の場合、Ａ／Ｎバンドリングのみがサポートされる。Ａ／Ｎ多重化はサポートされない。
【００３６】
[0047]  ＴＤＤ ＬＴＥ ｅＩＭＡＴＡについては、アダプティブまたはダイナミックＴＤＤ構成が、ＵＬ−ＤＬトラフィック負荷バランスを改善するために使用され得る。このケースにおいて、異なるＤＬサブフレームが、異なるタイプの干渉を受けやすい。ＵＥ側では、サービングセルおよび隣接セルの対応するサブフレームが両方ともＤＬサブフレームである場合、ＵＥは、通常のＤＬからＤＬへの干渉を被り得る。サービングセルおよび隣接セルの対応するサブフレームがそれぞれＤＬおよびＵＬである場合、これは時としてＤＬ／ＵＬ共存サブフレームと称され、ＵＥはＵＬからＤＬへの（またはＵＥからＵＥへの）干渉を被り得る。結果として、異なるＤＬサブフレームでは、全く異なるＤＬブロックエラー結果（ＢＬＥＲ：block error result）パフォーマンスをもたらす、異なるタイプの干渉があり得る。Ａ／Ｎバンドリングルールは、バンドルされたＤＬサブフレームは同様のチャネルフェージングおよび干渉レベルを経験するだろうという想定に基づくが、ＤＬサブフレームの全てのＡ／Ｎがともにバンドルされる場合、不必要な再送信およびスペクトル効率の低下が高い確率で起こる。
【００３７】
[0048]  図８は、サービングセル８０２のためのＴＤＤ構成のサブフレーム、および隣接セル８０４のためのＴＤＤ構成のサブフレームを含む、サブフレームのペア８００を示す図である。サービングセル８０２のためのサブフレームは、一連のＴＤＤ構成２（ＤＳＵＤＤ）サブフレームに対応し、隣接セル８０４のためのサブフレームは、一連のＴＤＤ構成０（ＤＳＵＵＵ）サブフレームに対応する。サービングセルサブフレーム８０２および隣接セルサブフレーム８０４は、互いに関して示されているので、対応するサブフレームはサブフレーム番号によって垂直にアラインされる。
【００３８】
[0049]  ＵＥにより改善されたＡ／Ｎアップリンク送信を提供するために、サービングセル８０２のＴＤＤ構成のサブフレームは、アンカーサブフレーム８０６のセットおよび非アンカーサブフレーム８０８のセットにグループ化される。１つの配置において、隣接セルのダウンリンクサブフレームと共通の（または図８に示されるように、垂直にアラインされる）サービングセルのダウンリンク（Ｄ）サブフレームは、アンカーサブフレーム８０６と指定される。すなわち、サービングセルおよび隣接セルの対応する番号付けられたサブフレームが両方ともダウンリンクサブフレームであるとき、そのサービングセル／隣接セルのペアのサービングセルのサブフレームは、アンカーサブフレーム８０６に指定される。同様に、隣接セルのスペシャル（Ｓ）サブフレームと共通のサービングセルのスペシャルサブフレームは、アンカーサブフレーム８０６と指定される。すなわち、サービングセルおよび隣接セルの対応する番号付けられたサブフレームがスペシャルサブフレームであるとき、そのサービングセル／隣接セルのペアのサービングセルのサブフレームは、アンカーサブフレーム８０６と指定される。隣接セルのアップリンク（Ｕ）サブフレームと共存するサービングセルのダウンリンクサブフレームは、非アンカーサブフレーム８０８と指定される。すなわち、サービングセルおよび隣接セルの対応する番号付けられたサブフレームがサービングセルにおいてダウンリンクサブフレーム、および隣接セルにおいてアップリンクサブフレームを備えるとき、そのサービングセル／隣接セルのペアのサービングセルのサブフレームは、非アンカーサブフレーム８０８に指定される。
【００３９】
[0050]  サービングセルのサブフレームがアンカーサブフレーム８０６および非アンカーサブフレーム８０８のそれぞれのセットにグループ化されると、サービングセルのアンカーサブフレームのＡ／Ｎは、後続の送信のためにサービングセルの第１のアップリンクサブフレーム８１２にバンドルされる８１０。Ａ／Ｎは、例えば、論理積演算（logical-AND operation）によってバンドルされることができ、ここで第１のアップリンクサブフレーム８１２は、アンカーサブフレーム８０６のそれぞれの確認応答がＡＣＫであるとき、ＡＣＫを送信する。アンカーサブフレーム８０６のいずれか１つの確認応答がＮＡＣＫである場合、第１のアップリンクサブフレーム８１２は、ＮＡＣＫを送信する。同様に、非アンカーサブフレーム８０８のＡ／Ｎは、後続の送信のためにサービングセルの第２のアップリンクサブフレーム８１６にバンドルされる８１４。第１のＵＬサブフレームは次のフレームの第１のＵＬサブフレームであり得、第２のＵＬサブフレームは、次のフレームの第２のＵＬサブフレームであり得る。あるいは、アンカーサブフレームのバンドルされたＡ／Ｎは、非アンカーサブフレームのＡ／Ｎと多重化され、１つのアップリンクサブフレームにおいてともにシグナリングされ得る。
【００４０】
[0051]  図９は、それぞれのＴＤＤ構成を有する、異なる共存するサービングセルおよび隣接セル、およびＡ／Ｎバンドリングに使用される対応するアンカーサブフレームのセットおよび非アンカーサブフレームのセットのいくつかの例９００を示す。ＴＤＤ構成２のサービングセルがＴＤＤ構成１の隣接セルと共存するケース９０２において、アンカーサブフレーム０／１／４／５／６／９のためのサービングセルのサブフレームのＡ／Ｎは、第１のグループとしてバンドルされ得、非アンカーサブフレーム３／８のためのサービングセルのサブフレームのＡ／Ｎは、第２のグループとしてバンドルされ得る。ＴＤＤ構成３のサービングセルがＴＤＤ構成６の隣接セルと共存するケース９０４において、アンカーサブフレーム０／１／５／６／９のためのサービングセルのサブフレームのＡ／Ｎは、第１のグループとしてバンドルされ得、非アンカーサブフレーム７／８のためのサービングセルのサブフレームのＡ／Ｎは、第２のグループとしてバンドルされ得る。
【００４１】
[0052]  ＴＤＤ構成４のサービングセルがＴＤＤ構成３の隣接セルと共存するケース９０６において、アンカーサブフレーム０／１／５／６／７／８／９のためのサービングセルのサブフレームのＡ／Ｎは、第１のグループとしてバンドルされ得、非アンカーサブフレーム４のためのサービングセルのサブフレームのＡ／Ｎは、第２のグループとしてバンドルされ得る。ＴＤＤ構成５のサービングセルがＴＤＤ構成１の隣接セルと共存するケース９０８において、アンカーサブフレーム０／１／４／５／６／９のためのサービングセルのサブフレームのＡ／Ｎは、第１のグループとしてバンドルされ得る一方で、非アンカーサブフレーム３／７／８のためのサービングセルのサブフレームのＡ／Ｎは、第２のグループとしてバンドルされ得る。
【００４２】
[0053]  別の配置において、ＴＤＤ構成は、ダウンリンク方向に固定されたＤＬサブフレーム、およびダウンリンク方向に固定されていないフレキシブルまたはダイナミックＤＬ／ＵＬサブフレームである他のサブフレームを有し得る。このケースにおいて、サービングセルの固定されたＤＬサブフレームは、アンカーサブフレームと指定され、サービングセルのフレキシブルＤＬ／ＵＬサブフレームは、非アンカーサブフレームと指定される。
【００４３】
[0054]  図１０は、ワイヤレス通信の方法のフローチャート１０００である。方法は、サービングセル内のＵＥ動作によって実行され得る。ステップ１００２において、ＵＥは、隣接セルのＴＤＤ構成を取得する。これは、サービングセル基地局と隣接セル基地局との間のＸ２インターフェースメッセージを通じて行われ得る。
【００４４】
[0055]  ステップ１００４において、ＵＥは、サービングセルのＴＤＤ構成のサブフレームを、アンカーサブフレームのセットおよび非アンカーサブフレームのセットにグループ化する。（ステップ１００６、１００８、および１０１０に対応する）１つのグループ化アレンジメントにおいて、ＵＥは、サービングセルおよび隣接セルの対応するサブフレームの比較に基づいて、サブフレームをグループ化する。（ステップ１０１２および１０１４に対応する）別のグループ化アレンジメントにおいて、ＵＥは、サブフレームの固定されたまたは固定されていない、の指定に基づいて、サブフレームをグループ化する。
【００４５】
[0056]  第１のグループ化アレンジメントをさらに考慮すると、ステップ１００６において、ＵＥは、サービングセルおよび隣接セルの対応するサブフレームがダウンリンクサブフレームであるとき、サービングセルの１つ又は複数のダウンリンクサブフレームをアンカーサブフレームと指定する。これは、例えば、図８におけるＴＤＤ構成のサブフレーム０および５に示される。
【００４６】
[0057]  ステップ１００８において、ＵＥは、サービングセルおよび隣接セルの対応するサブフレームがスペシャルサブフレームであるとき、サービングセルの１つ又は複数のスペシャルサブフレームをアンカーサブフレームと指定する。これは、例えば、図８におけるＴＤＤ構成のサブフレーム１および６に示される。
【００４７】
[0058]  ステップ１０１０において、ＵＥは、サービングセルおよび隣接セルの対応するサブフレームが、サービングセルにおけるダウンリンクサブフレーム、および隣接セルにおけるアップリンクサブフレームを備えるとき、サービングセルの１つ又は複数のダウンリンクサブフレームを非アンカーフレームと指定する。これは、例えば、図８におけるＴＤＤ構成のサブフレーム３、４、８および９に示される。
【００４８】
[0059]  代替のグループ化アレンジメントをさらに考慮すると、ステップ１０１２において、ＵＥは、ダウンリンク方向に固定されたサービングセルの１つ又は複数のダウンリンクのサブフレームを、アンカーサブフレームと指定する。ステップ１０１４において、ＵＥは、ダウンリンク方向に固定されていないサービングセルの１つ又は複数のダウンリンクサブフレームを、非アンカーサブフレームと指定する。
【００４９】
[0060]  サブフレームグループ化が完了すると、ステップ１０１６において、ＵＥは、アンカーサブフレームのＡＣＫおよび／またはＮＡＣＫ、および非アンカーサブフレームのＡＣＫおよび／またはＮＡＣＫを別個にバンドルする。これは、例えば、図８におけるブラケット８１０、８１４により示される。
【００５０】
[0061]  ステップ１０１８において、ＵＥは、アンカーサブフレームについてのＡＣＫおよび／またはＮＡＣＫを、サービングセルの第１のアップリンクサブフレームにバンドルする。すなわち、ＵＥは、サービングセルの第１のアップリンクにおいて、Ａ／Ｎバンドリング処理（例えば、上述した論理積演算）の結果をシグナリングする。これは、例えば、図８におけるアップリンクサブフレーム８１２に示される。
【００５１】
[0062]  ステップ１０２０において、ＵＥは、非アンカーサブフレームについてのＡＣＫおよび／またはＮＡＣＫを、サービングセルの第２のアップリンクサブフレームにバンドルする。すなわち、ＵＥは、サービングセルの第２のアップリンクにおいて、Ａ／Ｎバンドリング処理（例えば、上述した論理積演算）の結果をシグナリングする。これは、例えば、図８におけるアップリンクサブフレーム８１６に示される。それぞれのアップリンクサブフレームにおいて、アンカーサブフレームおよび非アンカーサブフレームのＡ／Ｎバンドリング結果をシグナリングする代わりとして、ステップ１０２２において、ＵＥは、アンカーサブフレームのバンドルされたＡＣＫおよび／またはＮＡＣＫを、非アンカーサブフレームのＡＣＫおよび／またはＮＡＣＫと多重化し、多重化の結果を単一のアップリンクサブフレームにおいてシグナリングし得る。
【００５２】
[0063]  図１１は、例示的な装置１１０２における異なるモジュール／手段／コンポーネント間のデータフローを示す概念的なデータフロー図１１００である。装置は、サービングｅＮＢ１１１４によりサービス提供されたサービングセル内で動作するＵＥであり得る。装置１１０２は、取得モジュール１１０４、グループ化モジュール１１０６、バンドリングモジュール１１０８、オプションの多重化モジュール１１１０、および送信モジュール１１１２を含む。
【００５３】
[0064]  取得モジュール１１０４は、サービングセルに隣接する隣接セルのＴＤＤ構成を取得する。ＴＤＤ構成は、隣接セルの基地局１１２０からサービングセルの基地局１１１４によって受信されるＸ２インターフェースメッセージを通じて取得され得る。ＴＤＤ構成に対応する情報１１１８は、その後サービングセル基地局１１１４から、受信機に対応し得るＵＥ取得モジュール１１０４に送信される。
【００５４】
[0065]  グループ化モジュール１１０６は、例えば図８に関連して上述されたように、サービングセルのＴＤＤ構成のサブフレームを、アンカーサブフレームのセットおよび非アンカーサブフレームのセットにグループ化する。バンドリングモジュール１１０８は、アンカーサブフレームのＡＣＫおよび／またはＮＡＣＫと、非アンカーサブフレームのＡＣＫおよび／またはＮＡＣＫとを別個にバンドルする。バンドリングモジュール１１０８は、アンカーサブフレームのためのＡ／Ｎバンドリング処理（例えば、上述した論理積演算）の結果をサービングセルの第１のアップリンクサブフレーム中でシグナリングすること、および非アンカーサブフレームのためのＡ／Ｎバンドリング処理（例えば、上述した論理積演算）の結果をサービングセルの第２のアップリンクサブフレーム中でシグナリングすることを指定し得る。
【００５５】
[0066]  １つの構成において、送信モジュール１１１２は、バンドリングモジュール１１０８からの対応するアップリンクサブフレーム指定を有する、アンカーサブフレームおよび非アンカーサブフレームそれぞれのＡ／Ｎバンドリング結果を受信し、その結果をサービングセル基地局１１１４に送信する。あるいは、オプションの多重化モジュール１１１０は、バンドリングモジュール１１０８からアンカーサブフレームおよび非アンカーサブフレームそれぞれのＡ／Ｎバンドリング結果を受信し、送信モジュール１１１６による単一のアップリンクサブフレームにおける送信のために、アンカーサブフレームのバンドルされたＡＣＫおよび／またはＮＡＣＫを、非アンカーサブフレームのＡＣＫおよび／またはＮＡＣＫと多重化する。
【００５６】
[0067]  装置は、図１０の前述のフローチャートにおけるアルゴリズムのステップの各々を実行する追加のモジュールを含み得る。したがって、図１０の前述のフローチャートにおける各ステップはモジュールによって実行されることができ、装置は、それらのモジュールのうちの１つ又は複数を含むことができる。モジュールは、述べられた処理／アルゴリズムを実施するように特に構成され、述べられた処理／アルゴリズムを実行するように構成されたプロセッサにより実現され、プロセッサによる実現のためのコンピュータ読取可能な媒体内に記憶される、またはそれらの何らかの組合せの、１つ又は複数のハードウェアコンポーネントであり得る。
【００５７】
[0068]  図１２は、処理システム１２１４を用いる装置１１０２’のためのハードウェア実現の例を示す図１２００である。処理システム１２１４は、バス１２２４により一般的に表されるバスアーキテクチャで実現され得る。バス１２２４は、処理システム１２１４の特定の用途と全体的な設計の制約に依存して、任意の数の相互接続バスおよびブリッジを含むことができる。バス１２２４は、プロセッサ１２０４、モジュール１１０４、１１０６、１１０８、１１１０、および１１１２、およびコンピュータ読取可能な媒体１２０６によって表された１つ又は複数のプロセッサおよび／またはハードウェアモジュールを含む、様々な回路を共にリンクさせる。バス１２２４はまた、タイミングソース、周辺機器、電圧レギュレータ、および電力管理回路といった様々な他の回路をリンクさせることもできるが、これらは、当該技術でよく知られているので、これ以上説明しない。
【００５８】
[0069]  処理システム１２１４は、トランシーバ１２１０に結合され得る。トランシーバ１２１０は、１つ又は複数のアンテナ１２２０に結合される。トランシーバ１２１０は、送信媒体を介して様々な他の装置と通信するための手段を提供する。処理システム１２１４は、コンピュータ読取可能な媒体１２０６に結合されたプロセッサ１２０４を含む。プロセッサ１２０４は、コンピュータ読取可能な媒体１２０６に記憶されたソフトウェアの実行を含む、一般的な処理を担当する。このソフトウェアは、プロセッサ１２０４によって実行されると、処理システム１２１４に、任意の特定の装置に関して後に説明される様々な機能を実行させる。コンピュータ読取可能な媒体１２０６はまた、ソフトウェアを実行する際にプロセッサ１２０４によって操作されるデータを記憶するために使用されることができる。処理システムはさらに、モジュール１１０４、１１０６、１１０８、１１１０および１１１２のうちの少なくとも１つを含む。モジュールは、プロセッサ１２０４において実行中の、コンピュータ読取可能な媒体１２０６に存在し／記憶されたソフトウェアモジュール、プロセッサ１２０４に結合された１つ又は複数のハードウェアモジュール、またはそれらの何らかの組み合わせであることができる。処理システム１２１４は、ＵＥ６５０のコンポーネントであり得、メモリ６６０、および／またはＴＸプロセッサ６６８、ＲＸプロセッサ６５６、およびコントローラ／プロセッサ６５９のうちの少なくとも１つを含み得る。
【００５９】
[0070]  １つの構成において、ワイヤレス通信のための装置１１０２／１１０２’は、サービングセルのＴＤＤ構成の複数のサブフレームをアンカーサブフレームのセットおよび非アンカーサブフレームのセットにグループ化するための手段と、アンカーサブフレームのＡＣＫおよび／またはＮＡＣＫ、および非アンカーサブフレームのＡＣＫおよび／またはＮＡＣＫを別個にバンドルするための手段と、サービングセルに隣接する隣接セルのＴＤＤ構成を取得するための手段と、アンカーサブフレームのバンドルされたＡＣＫおよび／またはＮＡＣＫを非アンカーサブフレームのＡＣＫおよび／またはＮＡＣＫと多重化するための手段と、を含む。装置１１０２／１１０２’は、さらに、サービングセルに隣接する隣接セルのＴＤＤ構成を取得するための手段と、アンカーサブフレームのバンドルされたＡＣＫおよび／またはＮＡＣＫを非アンカーサブフレームのＡＣＫおよび／またはＮＡＣＫと多重化するための手段と、を含む。
【００６０】
[0071]  前述の手段は、装置１１０２の前述のモジュール、および／または先述の手段によって記載された機能を実行するように構成された装置１１０２’の処理システム１２１４、のうちの１つ又は複数であることができる。先に説明したように、処理システム１２１４は、ＴＸプロセッサ６６８、ＲＸプロセッサ６５６、およびコントローラ／プロセッサ６５９を含み得る。このように、１つの構成では、前述の手段は、前述の手段によって記載された機能を実行するように構成された、ＴＸプロセッサ６６８、ＲＸプロセッサ６５６、およびコントローラ／プロセッサ６５９であることができる。
【００６１】
[0072]  開示された処理におけるステップの特定の順序または階層は、例示的なアプローチの一例であるということが理解されるべきである。設計の優先性に基づいて、これらの処理におけるステップの特定の順序または階層は並べ替えられ得るということが理解されるべきである。さらに、いくつかのステップは、組み合わされまたは省略され得る。添付の方法の請求項は、例示的な順序で様々なステップのエレメントを提示しているが、提示された特定の順序または階層に限定されることを意図するものではない。
【００６２】
[0073]  特許請求の範囲を含む、本明細書の中で使用されるように、「および／または」という用語は、２つ又はそれ以上の項目のリストに使用されるとき、リストされた項目のいずれか１つがそれ自体によって用いられ得る、またはリストされた項目の２つ又はそれ以上の任意の組み合わせが用いられ得ることを意味する。例えば、構成（composition）がコンポーネントＡ、Ｂ、および/またはＣを含むと説明される場合、構成は、Ａのみ、Ｂのみ、Ｃのみ、ＡおよびＢの組み合わせ、ＡおよびＣの組み合わせ、ＢおよびＣの組み合わせ、またはＡ、Ｂ、およびＣの組み合わせ、を含むことができる。また、特許請求の範囲を含む、本明細書の中で使用されるように、「のうちの少なくとも１つ」で始まる項目のリストで使用される「または(or)」は、例えば、「Ａ、ＢまたはＣのうちの少なくとも１つ」のリストは、ＡまたはＢまたはＣまたはＡＢまたはＡＣまたはＢＣまたはＡＢＣ（すなわち、ＡおよびＢおよびＣ）を意味するように選言的なリスト(disjunctive list)を示す。
【００６３】
[0074]  先の説明は、当業者に、本明細書において説明された様々な態様の実現を可能にさせるために提供されている。これらの態様に対する様々な変更は、当業者に容易に理解され、本明細書において定義された一般的な原理は、他の態様に適用され得る。したがって、特許請求の範囲は、明細書に示された態様に限定されることを意図するものではなく、特許請求の範囲における記載と一致する全範囲を付与されるべきものであり、単数形でのエレメントへの言及は、そうであるとの明確な記載がない限り、「ただ１つ」を意味することは意図せず、「１つ又は複数」を意味するものとする。そうでないとの明確な記載がない限り、「いくつかの、何らかの（some）」という用語は、１つ又は複数を意味する。当業者に周知の、または後に周知となる、この開示を通して説明された様々な態様のエレメントと構造的および機能的に同等な物はすべて、引用によって本明細書に明確に組み込まれ、特許請求の範囲に含まれることが意図される。さらに、本明細書におけるどの開示も、その開示が特許請求の範囲に明示的に記載されているか否かに関わらず、公に献呈されることを意図するものではない。どの特許請求の範囲のエレメントも、エレメントが「のための手段（means for）」というフレーズを使用して明確に記載されていない限り、ミーンズプラスファンクション（means plus function）として解釈されるべきではない。
以下に、本願出願の当初の特許請求の範囲に記載された発明を付記する。
［Ｃ１］
サービングセルの時分割複信（ＴＤＤ）構成の複数のサブフレームをアンカーサブフレームのセットおよび非アンカーサブフレームのセットにグループ化することと、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルすることと、
を備える、ワイヤレス通信の方法。
［Ｃ２］
サブフレームをグループ化することは、
前記サービングセルおよび隣接セルの対応するサブフレームがダウンリンクサブフレームであるとき、前記サービングセルの１つ又は複数のダウンリンクサブフレームをアンカーサブフレームと指定すること、
を備える、Ｃ１に記載の方法。
［Ｃ３］
サブフレームをグループ化することは、
前記サービングセルおよび前記隣接セルの対応するサブフレームがスペシャルサブフレームであるとき、前記サービングセルの１つ又は複数のスペシャルサブフレームをアンカーサブフレームと指定すること、
を備える、Ｃ１に記載の方法。
［Ｃ４］
サブフレームをグループ化することは、
前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定すること、
を備える、Ｃ１に記載の方法。
［Ｃ５］
サブフレームをグループ化することは、
ダウンリンク方向に固定された前記サービングセルの１つ又は複数の前記ダウンリンクのサブフレームを、アンカーサブフレームと指定すること、
を備える、Ｃ１に記載の方法。
［Ｃ６］
サブフレームをグループ化することは、
ダウンリンク方向に固定されていない前記サービングセルの１つ又は複数の前記ダウンリンクのサブフレームを、非アンカーサブフレームと指定すること、
を備える、Ｃ１に記載の方法。
［Ｃ７］
バンドルすることは、
前記アンカーサブフレームについての前記ＡＣＫおよび／またはＮＡＣＫを前記サービングセルの第１のアップリンクサブフレームにバンドルすることと、
前記非アンカーサブフレームについての前記ＡＣＫおよび／またはＮＡＣＫを前記サービングセルの第２のアップリンクサブフレームにバンドルすることと、
をさらに備える、Ｃ１に記載の方法。
［Ｃ８］
前記サービングセルに隣接する隣接セルの前記ＴＤＤ構成を取得することをさらに備える、Ｃ１に記載の方法。
［Ｃ９］
前記アンカーサブフレームの前記バンドルされたＡＣＫおよび／またはＮＡＣＫを前記非アンカーサブフレームの前記ＡＣＫおよび／またはＮＡＣＫと多重化することをさらに備える、Ｃ１に記載の方法。
［Ｃ１０］
サービングセルの時分割複信（ＴＤＤ）構成の複数のサブフレームをアンカーサブフレームのセットおよび非アンカーサブフレームのセットにグループ化するための手段と、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルするための手段と、
を備える、ワイヤレス通信のための装置。
［Ｃ１１］
サブフレームをグループ化するための前記手段は、前記サービングセルおよび隣接セルの対応するサブフレームがダウンリンクサブフレームであるとき、前記サービングセルの１つ又は複数のダウンリンクサブフレームをアンカーサブフレームと指定するように構成される、Ｃ１０に記載の装置。
［Ｃ１２］
サブフレームをグループ化するための前記手段は、前記サービングセルおよび前記隣接セルの対応するサブフレームがスペシャルサブフレームであるとき、前記サービングセルの１つ又は複数のスペシャルサブフレームをアンカーサブフレームと指定するように構成される、Ｃ１０に記載の装置。
［Ｃ１３］
サブフレームをグループ化するための前記手段は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するように構成される、Ｃ１０に記載の装置。
［Ｃ１４］
サブフレームをグループ化するための前記手段は、ダウンリンク方向に固定された前記サービングセルの１つ又は複数の前記ダウンリンクのサブフレームを、アンカーサブフレームと指定するように構成される、Ｃ１０に記載の装置。
［Ｃ１５］
サブフレームをグループ化するための前記手段は、ダウンリンク方向に固定されていない前記サービングセルの１つ又は複数の前記ダウンリンクのサブフレームを、非アンカーサブフレームと指定するように構成される、Ｃ１０に記載の装置。
［Ｃ１６］
バンドルするための前記手段は、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ように構成される、Ｃ１０に記載の装置。
［Ｃ１７］
サービングセルの時分割複信（ＴＤＤ）構成の複数のサブフレームをアンカーサブフレームのセットおよび非アンカーサブフレームのセットにグループ化し、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルする、
ように構成された処理システム、
を備える、ワイヤレス通信のための装置。
［Ｃ１８］
前記プロセッサは、前記サービングセルおよび隣接セルの対応するサブフレームがダウンリンクサブフレームであるとき、前記サービングセルの１つ又は複数のダウンリンクサブフレームをアンカーサブフレームと指定するように構成される、Ｃ１７に記載の装置。
［Ｃ１９］
前記プロセッサは、前記サービングセルおよび前記隣接セルの対応するサブフレームがスペシャルサブフレームであるとき、前記サービングセルの１つ又は複数のスペシャルサブフレームをアンカーサブフレームと指定するように構成される、Ｃ１７に記載の装置。
［Ｃ２０］
前記プロセッサは、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するように構成される、Ｃ１７に記載の装置。
［Ｃ２１］
前記プロセッサは、ダウンリンク方向に固定された前記サービングセルの１つ又は複数の前記ダウンリンクのサブフレームを、アンカーサブフレームと指定するように構成される、Ｃ１７に記載の装置。
［Ｃ２２］
前記プロセッサは、ダウンリンク方向に固定されていない前記サービングセルの１つ又は複数の前記ダウンリンクのサブフレームを、非アンカーサブフレームと指定するように構成される、Ｃ１７に記載の装置。
［Ｃ２３］
前記プロセッサは、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ようにさらに構成される、Ｃ１７に記載の装置。
［Ｃ２４］
サービングセルの時分割複信（ＴＤＤ）構成の複数のサブフレームをアンカーサブフレームのセットおよび非アンカーサブフレームのセットにグループ化し、
前記アンカーサブフレームの肯定確認応答（ＡＣＫ）および／または否定確認応答（ＮＡＣＫ）、および前記非アンカーサブフレームのＡＣＫおよび／またはＮＡＣＫを別個にバンドルする、
のためのコードを備えるコンピュータ読取可能な媒体
を備える、コンピュータプログラム製品。
［Ｃ２５］
前記コンピュータ読取可能な媒体は、前記サービングセルおよび隣接セルの対応するサブフレームがダウンリンクサブフレームであるとき、前記サービングセルの１つ又は複数のダウンリンクサブフレームをアンカーサブフレームと指定するためのコードを備える、Ｃ２４に記載の製品。
［Ｃ２６］
前記コンピュータ読取可能な媒体は、前記サービングセルおよび前記隣接セルの対応するサブフレームがスペシャルサブフレームであるとき、前記サービングセルの１つ又は複数のスペシャルサブフレームをアンカーサブフレームと指定するためのコードを備える、Ｃ２４に記載の製品。
［Ｃ２７］
前記コンピュータ読取可能な媒体は、前記サービングセルおよび前記隣接セルの対応するサブフレームが、前記サービングセルにおけるダウンリンクサブフレーム、および前記隣接セルにおけるアップリンクサブフレームを備えるとき、前記サービングセルの１つ又は複数のダウンリンクサブフレームを非アンカーフレームと指定するためのコードを備える、Ｃ２４に記載の製品。
［Ｃ２８］
前記コンピュータ読取可能な媒体は、ダウンリンク方向に固定された前記サービングセルの１つ又は複数の前記ダウンリンクのサブフレームを、アンカーサブフレームと指定するためのコードを備える、Ｃ２４に記載の製品。
［Ｃ２９］
前記コンピュータ読取可能な媒体は、ダウンリンク方向に固定されていない前記サービングセルの１つ又は複数の前記ダウンリンクのサブフレームを、非アンカーサブフレームと指定するためのコードを備える、Ｃ２４に記載の製品。
［Ｃ３０］
前記コンピュータ読取可能な媒体は、
前記アンカーサブフレームについての前記ＡＣＫおよび／またはＮＡＣＫを前記サービングセルの第１のアップリンクサブフレームにバンドルし、
前記非アンカーサブフレームについての前記ＡＣＫおよび／またはＮＡＣＫを前記サービングセルの第２のアップリンクサブフレームにバンドルする、
ためのコードを備える、Ｃ２４に記載の製品。
【図１】
0006363080.tif 000002
【図２】
0006363080.tif 000003
【図３】
0006363080.tif 000004
【図４】
0006363080.tif 000005
【図５】
0006363080.tif 000006
【図６】
0006363080.tif 000007
【図７】
0006363080.tif 000008
【図８】
0006363080.tif 000009
【図９】
0006363080.tif 000010
【図１０】
0006363080.tif 000011
【図１１】
0006363080.tif 000012
【図１２】
0006363080.tif 000013